(57)【要約】      （修正有）【課題】衛生面での懸念を払拭しつつガムの取り出しを容易にするガムディスペンサーを提供する。【解決手段】ドームと、本体１３と、ダイヤル１４と、回転盤３０と、回転盤３０に略１８０度の間隔で設けられ、それぞれ所定の数のガムを保持する２つのポケット３１と、ドームの中から所定の数のガムをポケット３１に受け渡すための保持部用開口２４が設けられた受け皿２０と、本体１３から外部に所定の数のガムを取り出すための取出し口と、所定の数のガムがポケット３１から落下したときに落下したガムを取出し口に受け渡す取出し口用開口４４が設けられた底板４０と、回転盤３０の周面外側に配置されたダクト４３と、を備え、保持部用開口２４が、通過するガムを傷つけないようにするために縁部の下部２４ａに丸みを付けた保護構造となっており、ダクト４３が、回転盤３０の周面３４に沿った円弧形状の内面４６を有する。【選択図】図２
0003211888.tif 000002
【実用新案登録請求の範囲】
【請求項１】
複数のガムを収容可能な収容部と、
前記収容部に接続され、底面を有する本体と、
前記本体に設けられ、前記底面に略平行な軸の回りに回転するダイヤルと、
前記本体内に設けられ、前記ダイヤルとともに前記軸の回りに回転する回転盤と、
前記回転盤に所定の角度の間隔で設けられ、それぞれ所定の数のガムを保持する２つの保持部と、
前記収容部の中から前記所定の数のガムを前記保持部に受け渡すための保持部用開口が設けられた受部と、
前記本体から外部に前記所定の数のガムを取り出すための取出し口と、
前記ダイヤルとともに前記保持部が前記所定の角度回転し前記保持部に収容されていた前記所定の数のガムが前記保持部から落下したときに、落下したガムを前記取出し口に受け渡すための取出し口用開口が設けられた底板と、
前記回転盤の周面外側に配置された補助部と、
を備え、
前記保持部用開口が、通過するガムを傷つけないようにするために前記保持部用開口を形成している縁部の少なくとも一部の下部に丸みを付けた保護構造となっており、
前記補助部が、前記回転盤の周面に沿った円弧形状の内面を有することを特徴とするガムディスペンサー。
【請求項２】
前記回転盤の一の方向への回転を許容し、かつ、前記一の方向と異なる逆方向への回転を少なくとも前記所定の角度未満に規制するクラッチ機構と、
前記回転盤が前記一の方向に回転する動作に連動して前記受部に断続的に振動を与える押打部と、
を備えることを特徴とする請求項１に記載のガムディスペンサー。
【請求項３】
前記取出し口は、前記本体に着脱可能であり、
ガムを取り出すための取出しケース開口が設けられた、ガムを保持するガム取出し用ケースと、前記取出しケース開口を覆う前記ガム取出し用ケースに着脱可能なフタと、を有することを特徴とする請求項１又は請求項２に記載のガムディスペンサー。
【考案の詳細な説明】
【技術分野】
【０００１】
本考案は、ガムディスペンサーに関する。
【背景技術】
【０００２】
従来、個包装されていない平面視長方形のガムが複数収容されたボトル入りのガムが販売されている。使用者がボトルから必要な数のガムを取り出す際に、使用者の手が他のガムにも触れてしまい、衛生面での懸念を生じるおそれがある。このため、ボトルを倒置して本体にセットし、複数回ハンドルを回すことで必要な個数のガムを取り出すガム取り出し装置が提案されている（例えば、特許文献１参照）。
【先行技術文献】
【特許文献】
【０００３】
【特許文献１】実用新案登録第３１４３３５号公報
【考案の概要】
【考案が解決しようとする課題】
【０００４】
しかしながら、従来例では、ガムを取り出すために複数回ハンドルを回す必要がある等、改良の余地がある。
【０００５】
本考案は、上記の事情に鑑みてなされたもので、衛生面での懸念を払拭しつつガムの取り出しを容易にするガムディスペンサーを提供することを例示的課題とする。
【課題を解決するための手段】
【０００６】
上記の課題を解決するために、本考案は以下の趣旨を有する。
【０００７】
［趣旨１］
複数のガムを収容可能な収容部と、
前記収容部に接続され、底面を有する本体と、
前記本体に設けられ、前記底面に略平行な軸の回りに回転するダイヤルと、
前記本体内に設けられ、前記ダイヤルとともに前記軸の回りに回転する回転盤と、
前記回転盤に所定の角度の間隔で設けられ、それぞれ所定の数のガムを保持する２つの保持部と、
前記収容部の中から前記所定の数のガムを前記保持部に受け渡すための保持部用開口が設けられた受部と、
前記本体から外部に前記所定の数のガムを取り出すための取出し口と、
前記ダイヤルとともに前記保持部が前記所定の角度回転し前記保持部に収容されていた前記所定の数のガムが前記保持部から落下したときに、落下したガムを前記取出し口に受け渡すための取出し口用開口が設けられた底板と、
前記回転盤の周面外側に配置された補助部と、
を備え、
前記保持部用開口が、通過するガムを傷つけないようにするために前記保持部用開口を形成している縁部の少なくとも一部の下部に丸みを付けた保護構造となっており、
前記補助部が、前記回転盤の周面に沿った円弧形状の内面を有する。
【０００８】
［趣旨２］
前記回転盤の一の方向への回転を許容し、かつ、前記一の方向と異なる逆方向への回転を少なくとも前記所定の角度未満に規制するクラッチ機構と、
前記回転盤が前記一の方向に回転する動作に連動して前記受部に断続的に振動を与える押打部と、
を備えてもよい。
【０００９】
［趣旨３］
前記取出し口は、前記本体に着脱可能であり、
ガムを取り出すための取出しケース開口が設けられた、ガムを保持するガム取出し用ケースと、前記取出しケース開口を覆う前記ガム取出し用ケースに着脱可能なフタと、
を有してもよい。
【００１０】
本考案の更なる目的又はその他の特徴は、以下添付図面を参照して説明される好ましい実施の形態によって明らかにされるであろう。
【考案の効果】
【００１１】
本考案によれば、衛生面での懸念を払拭しつつガムの取り出しを容易にするガムディスペンサーを提供することができる。
【図面の簡単な説明】
【００１２】
【図１】実施形態の（ａ）ガムディスペンサーの全体構成斜視図、（ｂ）ポケットの斜視図
【図２】実施形態の（ａ）本体内部の分解斜視図、（ｂ）受け皿の底面図、（ｃ）受け皿の断面図
【図３】実施形態の受け皿を振動させる機構を説明する図で（ａ）押打部が受け皿を押打していないときを示す図、（ｂ）押打部が受け皿を押打しているときを示す図
【図４】実施形態の（ａ）取出し口近傍の構成を示す斜視図、（ｂ）取出し口の拡大図
【考案を実施するための形態】
【００１３】
［実施形態］
（ガムディスペンサーの全体構成）
図１（ａ）は、本考案の実施形態に係るガムディスペンサー１０の全体構成を示す図である。このガムディスペンサー１０は、収容部に例えばタブレット状で平面視長方形のガムを収容でき、収容部に収容された複数の平面視長方形のガムを所定の数だけ取り出すことができる。ガムディスペンサー１０は、収容部であるドーム１１と、ドーム１１に接続された本体１３と、を備えている。ドーム１１は、本体１３に対して矢印αの方向に所定角度（例えば、４５度）回転させることで、本体１３から取り外したり本体１３に装着したりすることが可能である。本体１３にドーム１１が装着されたとき、本体１３とドーム１１の装着部分はガムディスペンサー１０内の密閉性が保たれるようになっている。
【００１４】
ボトルガム内のガムをガムディスペンサー１０に移し替える際には、ドーム１１を本体１３から取り外し、ドーム１１を倒置した状態でボトルガム内の複数のガムをドーム１１の中に収容する。ドーム１１は、例えば、ボトルガム１個に収容されているすべてのガムを収容できるような体積を有している。そして、ドーム１１を倒置させたまま、本体１３を倒置させてドーム１１に当接させて所定角度回転させる。これにより、ドーム１１と本体１３とが再び接続される。ドーム１１を本体１３に装着する際には、透明窓１２がダイヤル１４や取出し口１５と同じ方向となるように装着する。なお、透明窓１２がダイヤル１４や取出し口１５と同じ方向に装着できるように、ドーム１１や本体１３に、ドーム１１と本体１３とを当接させる際のマークを付しておいてもよい。
【００１５】
本体１３は、ダイヤル１４と、取出し口１５と、ポケット１６と、底面１７と、本体開口１８と、を有している。本体１３の内部には、ガムディスペンサー１０のガムの取り出し機能を発揮する、後述する各部材が収容されている。ダイヤル１４は使用者の把持を容易にするために、長方形状となっている。ダイヤル１４の長方形状の長手方向は、底面１７に対して略平行となる位置でホームポジションとなるように取り付けられている。ダイヤル１４は、本体１３の前面に向かって時計回り方向に回転することが可能であり、所定の角度である略１８０度回転するとホームポジションとなる。図１は、ダイヤル１４がホームポジションにあるときを示している。
【００１６】
本体開口１８は、取出し口１５を装着するための開口であり、後述する底板４０の取出し口用開口４４（図２参照）から出てきたガムを取出し口１５に受け渡す。取出し口１５は、矢印βの方向に引き出すことで、本体１３から取り外すことが可能である。取出し口１５は、矢印βと反対の方向から本体開口１８に挿入することで、本体１３に装着することが可能である。
【００１７】
ポケット１６も、矢印γの方向に引くことで、本体１３から取り外すことが可能である。ポケット１６は、矢印γと反対の方向から本体１３に装着することが可能である。図１（ｂ）はポケット１６の構成を示す斜視図である。ポケット１６には、噛んだ後のガムを包みすてる紙（以下、すて紙という）を収納するすて紙用ポケット１６ａやペン等の筆記具を収納するペン用ポケット１６ｂ等が設けられている。ポケット１６は矢印δの方向に本体１３の背面側が向くように取り付けられる。すて紙用ポケット１６ａは本体１３の背面側の面とともにすて紙を収納する空間を形成する。
【００１８】
以降の説明において、ガムディスペンサー１０の透明窓１２やダイヤル１４、取出し口１５が設けられている側を本体前側といい、ガムディスペンサー１０にポケット１６が取り付けられている側を本体後側という。
【００１９】
（受け皿）
図２（ａ）を用いて、本体１３の内部に組み込まれたガム取り出し機能を発揮する各部材について説明する。図２（ａ）は、本体１３内部の分解斜視図である。本体１３内部には、受部である受け皿２０と、回転盤３０と、ダクト４３と、底板４０と、規制部材である逆転防止部５１と、軸受棚５０と、軸６０と、が設けられている。軸６０は、ダイヤル１４の回転と一体に回転する軸であり、回転盤３０に差し込みネジ止めして一体とする。回転盤軸３２は軸受棚５０の軸受穴５６に貫通する。回転盤３０は、ダイヤル１４が回転することにより回転する。軸受棚５０は本体内側に固定されダイヤル１４が回転しても回転しない。
【００２０】
受け皿２０は、ドーム１１内に収容された複数のガムの中から一部の複数のガムを一時的に受け入れ、受け皿２０の下方に設けられた回転盤３０のポケット３１に、所定の数（例えば、１つ〜２つ）のガムのみを落下させる機能を有している。保持部であるポケット３１は、所定の数のガムが収容されるように設けられている。受け皿２０の底部には、所定の数よりも多いガムが回転盤３０に落下することを規制する受け皿規制部２３と、所定の数のガムを回転盤３０へ落下させるための保持部用開口２４とが設けられている。
【００２１】
図２（ｂ）は、受け皿２０の底面図、すなわち回転盤３０側から見た受け皿２０を示す図であり、図２（ｃ）は受け皿２０の断面図である。受け皿２０の保持部用開口２４を形成している縁部の中で、脚部２２の反対側に位置する縁部の下部２４ａは丸みをつけてガムを傷付けない保護構造になっている。ここで、縁部の下部２４ａとは、図２（ｃ）に示すように、保持部用開口２４を形成する縁部において回転盤３０側の部分を指す。このように、保持部用開口２４を形成している縁部の少なくとも一部の下部（縁部の下部２４ａ）に丸みがつけられている。なお、保持部用開口２４において脚部２２を除く縁部の下部の全てに丸みがつけられていてもよい。
【００２２】
受け皿２０には、後述する軸受棚５０に取り付けられたバネ５５の輪部５５ａを引っ掛けるための引っ掛け部２１が設けられている。輪部５５ａが引っ掛け部２１に引っ掛けられていることにより、受け皿２０はバネ５５によって下方に引っ張られている。また、受け皿２０には脚部２２が設けられており、脚部２２の先端部２２ａは回転盤３０からガムが落下しない爪となっている。
【００２３】
（回転盤）
回転盤３０は、ポケット３１と、回転盤軸３２と、周面３４とを有する。回転盤３０の回転盤軸３２は底面１７に対して略平行であり、回転盤３０は底面１７に対して略垂直方向に回転する。本実施形態では、ダイヤル１４がホームポジションから略１８０度回転すると、回転盤３０も略１８０度回転する。
【００２４】
回転盤３０には、ガムを収容するポケット３１が略１８０度の角度間隔をおいた位置に２つ設けられている（ポケット３１ａ、３１ｂ）。ダイヤル１４がホームポジションにあるとき、ポケット３１ａ又はポケット３１ｂが回転盤３０における上部に位置するように回転盤３０は軸６０に組み付けられる。これにより、ダイヤル１４がホームポジションにあるとき、例えばポケット３１ａが受け皿２０に対向するように（上側）、ポケット３１ｂが底板４０に対向するように（下側）、それぞれ配置される。この状態から、ダイヤル１４を所定の方向（例えば、ダイヤル１４に向かって時計回り方向）に略１８０度回転させると、回転盤３０が略１８０度回転し、ポケット３１ｂが受け皿２０に対向するように（上側）、ポケット３１ａが底板４０に対向するように（下側）、それぞれ配置される。
【００２５】
回転盤３０の本体１３の背面側に対向する側の面には、ギア３３が設けられており、ギア３３と回転盤３０とは同軸となるように設けられている。すなわち、回転盤３０の回転とともにギア３３も回転する。
【００２６】
（逆転防止部及びカバー）
ガムディスペンサー１０を使用している間に、ドーム１１の中でガム同士が互いに押し合い、上凸形状（ドーム状）に複数のガムが固まる固着という現象が発生し、ガムが受け皿２０に落下しなくなることがある。このため、ドーム１１の中でガム同士の固着が発生した場合、対策を講じなければ使用者がガムディスペンサー１０を手等で叩いてガムを落下させなければならなくなるおそれがある。以下に、固着を防止又は解消するための構成について説明する。
【００２７】
逆転防止部５１には、凸部５３と押打部５４とが設けられている。また、逆転防止部５１の押打部５４側の端部には、軸受棚５２に一端が取り付けられたバネ５７の他端が取り付けられており、逆転防止部５１はバネ５７によって下方に引っ張られている。ここで、図３は、ドーム１１内でガムの固着が発生し、ガムが落下してこなくなる現象を防止又は解消するための、受け皿２０を振動させるための機構を説明する図である。
【００２８】
本体１３内部には、回転盤３０の一の方向への回転を許容し、かつ、一の方向と異なる逆方向への回転を少なくとも所定の角度未満に規制するクラッチ機構が設けられている。クラッチ機構３９は、ギア３３と逆転防止部５１とを有して構成される。ギア３３は軸６０に設けられ、回転盤３０とともに回転する。逆転防止部５１は、凸部５３によってギア３３に噛み合って回転盤３０が一の方向に回転するように回転方向を規制する（逆回転を防止する）。
【００２９】
図３は、本体１３の背面側から見た模式図である。図３（ａ）は、ダイヤル１４がホームポジションにあるときの状態、又はダイヤル１４が回転している間の所定のタイミングの状態を示す図である。図３（ａ）に示すように、逆転防止部５１の凸部５３は、ギア３３の歯３３ａと噛み合っており、このとき、押打部５４は受け皿２０とは接している。また、凸部５３と歯３３ａとが噛み合っていることにより、ギア３３が逆回転しないように、すなわち、本体１３の背面側から見て時計回り方向にギア３３が回転しないように、ギア３３の回転方向が一の方向に規制されている。
【００３０】
図３（ｂ）は、ダイヤル１４が回転している途中の状態を示す図である。ギア３３の回転に伴い、逆転防止部５１の凸部５３がギア３３の歯３３ａによって押し上げられていき、歯３３ａの先端部３３ｂによって凸部５３が押し上げられると、逆転防止部５１の押打部５４が受け皿２０の底部を下から押し上げる。このとき、逆転防止部５１はバネ５７の付勢力に抗って上方に押し上げられており、受け皿２０はバネ５５の付勢力に抗って上方に押し上げられて、逆転防止部５１の凸部５３が歯３３ａの先端部３３ｂから歯３３ａの凹部３３ｃに落下すると、受け皿２０に押打部５４を通し強い振動が与えられる。
【００３１】
ダイヤル１４が略１８０度回転する間に、図３（ａ）と図３（ｂ）の動作が繰り返されることにより、受け皿２０に振動が与えられ、その振動がドーム１１に伝播することで、ドーム１１内のガムの固着が防止又は解消される。このように、押打部５４は、ギア３３が一の方向に回転する動作に連動して受け皿２０を逆転防止部５１側から断続的に押打する。
【００３２】
軸受棚５０は、受け皿２０、回転盤３０、ダクト４３、逆転防止部５１を保持した状態で、ガムディスペンサー１０の背面側から本体１３内部に組み付けられる。
【００３３】
（ダクト）
図２（ａ）の説明に戻る。底板４０には、上述したガム落下防止突起部４１と、ダクト４３と、取出し口用開口４４と、が設けられている。補助部であるダクト４３は、回転盤３０の周面外側に配置されており、回転盤３０の周面３４に沿った円弧形状の内面４６を有する。ダクト４３は、図２（ａ）に示すように、回転盤３０のポケット３１が上の位置から下の位置に回転する方向の、回転盤３０の側面側に設けられる。すなわち、回転盤３０の回転に伴って、回転盤３０の上に位置していたポケット３１がダクト４３の上から下に向かってダクト４３内に潜り込むことになる。取出し口用開口４４は、底板４０に対向するポケット３１から落下したガムを取出し口１５に受け渡すためのものである。
【００３４】
ダクト４３には、コ字開放部４５と規制部４２とが設けられている。回転盤３０はダクト４３のコ字開放部４５の間に接触しないように配置される。回転盤３０とダクト４３との間には所定の隙間（例えば、３〜４ｍｍ）が設けられている。上述したように、ドーム１１内から受け皿２０を介して所定の数のガムが回転盤３０のポケット３１に落下するようになっている。仮に、所定の数を超えたガムがポケット３１側に落下し、ポケット３１から溢れた状態となった場合でも、溢れたガムによって回転盤３０の回転が妨げられないようにダクト４３の規制部４２によって所定の数を超えたガムの更なる落下が防止される。また、底板４０において、ダクト４３が設けられた側の反対側には、ガム落下防止突起部４１が設けられ、ガム落下防止突起部４１によっても更なるガムの落下が防止される。
【００３５】
一方、所定の数のガムがポケット３１内に入っているが、例えば所定の数のガム（例えば２つ）の重なり具合によってはポケット３１からわずかにはみ出した状態となる場合もある。このような状態となっていても、コ字開放部４５と回転盤３０との間に所定の隙間が設けられていることで、所定の数のガムによって回転盤３０の回転が妨げられることがないようになっている。このように、ダクト４３は、回転盤３０の回転を妨げる要因を排除するために設けられており、回転盤３０の回転を補助する。
【００３６】
ガムがポケット３１内に所定の数を超えて入った状態で回転すると、受け皿２０の穴の部分でガムが引っかかってしまう。それを改善するために、ガムが受け皿２０の底から当たると押し上げられ、想定していなかった状態のガムの入り方でも、受け皿２０の穴を通過する。ガムが、穴に入っていない状態では、受け皿２０は押し上げられないようになっている。受け皿２０と本体１３との間には所定の隙間（例えば、５〜６ｍｍ）が設けられているため、受け皿２０は上述したような上下の動きが可能となっている。
【００３７】
（取出し口及び蓋）
図４は、取出し口１５近傍を説明する図である。取出し口１５は、フタ１５ａとガム取出し用ケース１５ｂとを有している。フタ１５ａはガム取出し用ケース１５ｂに対して着脱可能に取り付けられている。本実施形態では、フタ１５ａは例えば透明であり、ガム取出し用ケース１５ｂ内のガム８０が見えるようにしているが、透明に限定されない。図１では、フタ１５ａをガム取出し用ケース１５ｂに取り付けた状態で、取出し口１５を本体１３の本体開口１８に装着している。取出し口１５が本体１３の本体開口１８に装着された際には、図４（ｂ）に示すフタ１５ａの面１５ａａは、本体開口１８内部に収まるように構成されており、外部からの埃等の侵入が防止される。一方、図４（ａ）に示すように、フタ１５ａが取り外された状態で、ガム取出し用ケース１５ｂのみを本体１３の本体開口１８に装着して使用することもできる。
【００３８】
図４（ａ）に示すようにフタ１５ａを取り外した状態でダイヤル１４を回し、ガム取出し用ケース１５ｂ内のガム８０を指で取り出す際に、ガム取出し用ケース１５ｂの底部や内壁に指が触れてしまうことがある。ガム８０を取り出すときに指がガム取出し用ケース１５ｂの底部や内壁に触れてしまうことを避けたい場合には、フタ１５ａをガム取出し用ケース１５ｂに取り付けた状態（図１の状態）でガムディスペンサー１０を使用するとよい。
【００３９】
図４（ｂ）に示すように、フタ１５ａがガム取出し用ケース１５ｂに取り付けられた状態のまま、取出し口１５を本体１３の本体開口１８から取り外すことができる。ダイヤル１４を回してガム８０が取り出された場合、図４（ｂ）に示すような状態で取出し口１５を本体１３から取り外し、取出し口１５を少し傾けて取出しケース開口１５ｂａからガム８０を取り出すことができる。このようにすれば、指がガム取出し用ケース１５ｂの底部や内壁部に触れることなくガム８０を取り出すことができ、取出し口１５における衛生状態が良好に保たれる。
【００４０】
以上、本考案の好ましい実施の形態を説明したが、本考案はこれらに限定されるものではなく、その要旨の範囲内で様々な変形や変更が可能である。例えば、ガムは平面視長方形のものに限られず、例えば丸状等のガムであってもよい。また、本実施形態では、回転盤３０に略１８０度の間隔でポケット３１ａ、３１ｂを２つ設け、ダイヤル１４を略１８０度回転させて回転盤３０を略１８０度回転させるように構成した。しかし、回転盤３０上のポケット３１の数及び配置の際の角度間隔とダイヤル１４を回す角度等は、これらに限定されるものではない。
【００４１】
以上、本実施形態によれば、衛生面での懸念を払拭しつつガムの取り出しを容易にするガムディスペンサーを提供することができる。
【符号の説明】
【００４２】
１０      ガムディスペンサー
１１      ドーム（収容部）
１２      透明窓
１３      本体
１４      ダイヤル
１５      取出し口
１５ａ    フタ
１５ａａ  面
１５ｂ    ガム取出し用ケース
１５ｂａ  取出しケース開口
１６      ポケット
１６ａ    すて紙用ポケット
１６ｂ    ペン用ポケット
１７      底面
１８      本体開口
２０      受け皿（受部）
２１      引っ掛け部
２２      脚部
２２ａ    先端部
２３      受け皿規制部
２４      保持部用開口
２４ａ    縁部の下部
３０      回転盤
３１、３１ａ、３１ｂ  ポケット（保持部）
３２      回転盤軸
３３      ギア
３３ａ    歯
３３ｂ    先端部
３３ｃ    凹部
３４      周面
３９      クラッチ機構
４０      底板
４１      ガム落下防止突起部
４２      規制部
４３      ダクト（補助部）
４４      取出し口用開口
４５      コ字開放部
４６      内面
５０      軸受棚
５１      逆転防止部（規制部材）
５３      凸部
５４      押打部
５５      バネ
５５ａ    輪部
５６      軸受穴
５７      バネ
６０      軸
８０      ガム
【図１】
0003211888.tif 000003
【図２】
0003211888.tif 000004
【図３】
0003211888.tif 000005
【図４】
0003211888.tif 000006